【手続補正書】
【提出日】平成22年9月2日(2010.9.2)
【手続補正１】
【補正対象書類名】明細書
【補正対象項目名】０００８
【補正方法】変更
【補正の内容】
【０００８】
上記目的達成のため、請求項１記載の発明は、撮像手段と、前記撮像手段による撮像時のズーム倍率を変化させるズーム手段と、前記撮像手段により撮像される画像をリアルタイムで表示する表示手段と、前記ズーム倍率が低倍率であるときに前記撮像手段により撮像された画像である広角画像を取得して保持する広角画像取得手段と、前記ズーム倍率が前記低倍率よりも倍率の高い高倍率であるときに前記撮像手段により撮像された画像である望遠画像を前記表示手段にリアルタイムで表示する際に、前記広角画像取得手段に保持されている広角画像を前記表示手段に表示する表示制御手段とを備えることを特徴とする撮像装置である。
【手続補正２】
【補正対象書類名】明細書
【補正対象項目名】０００９
【補正方法】変更
【補正の内容】
【０００９】
請求項２に記載の発明は更に、前記広角画像取得手段は、前記ズーム倍率が低倍率から高倍率への変化を開始したタイミングで、このタイミングの直前または直後に前記撮像手段により撮像された画像を広角画像として取得して保持する、ことを特徴とする。
【手続補正３】
【補正対象書類名】明細書
【補正対象項目名】００１０
【補正方法】変更
【補正の内容】
【００１０】
請求項３に記載の発明は更に、前記表示制御手段は、前記ズーム倍率が低倍率から所定の倍率まで変化したタイミングで、前記広角画像取得手段に保持されている広角画像を、前記望遠画像とともに前記表示手段に表示する、ことを特徴とする。
【手続補正４】
【補正対象書類名】明細書
【補正対象項目名】００１１
【補正方法】変更
【補正の内容】
【００１１】
請求項４に記載の発明は更に、前記表示制御手段は、前記広角画像取得手段に保持されている広角画像とともに、該広角画像内に現在の望遠画像に対応する位置を識別表示する、ことを特徴とする。
【手続補正５】
【補正対象書類名】明細書
【補正対象項目名】００１２
【補正方法】変更
【補正の内容】
【００１２】
請求項５に記載の発明は更に、前記ズーム倍率が低倍率であるときに、撮影範囲内の撮影所望位置を指定する撮影所望位置指定手段を更に備え、前記表示制御手段は、前記撮影所望位置指定手段による指定に応じて、前記広角画像内に前記撮影希望位置を識別表示する、ことを特徴とする。
【手続補正６】
【補正対象書類名】明細書
【補正対象項目名】００１３
【補正方法】変更
【補正の内容】
【００１３】
請求項６に記載の発明は更に、前記表示制御手段は、前記広角画像取得手段に保持されている広角画像を、前記望遠画像とは独立したガイド画面として前記望遠画像とともに前記表示手段に表示する、ことを特徴とする。
【手続補正７】
【補正対象書類名】明細書
【補正対象項目名】００１４
【補正方法】変更
【補正の内容】
【００１４】
請求項７に記載の発明は更に、前記表示制御手段は、前記ガイド画面を前記望遠画像上の一部に重ねて表示する、ことを特徴とする。
【手続補正８】
【補正対象書類名】明細書
【補正対象項目名】００１５
【補正方法】変更
【補正の内容】
【００１５】
請求項８に記載の発明は更に、前記表示制御手段は、前記ガイド画面を前記望遠画像と並べて表示する、ことを特徴とする。
【手続補正９】
【補正対象書類名】明細書
【補正対象項目名】００１６
【補正方法】変更
【補正の内容】
【００１６】
請求項９に記載の発明は更に、前記ガイド画面の大きさを指示するサイズ指示手段を更に備え、前記表示制御手段は、前記サイズ指示手段による指示に応じて前記ガイド画面の大きさを変更するガイド画面サイズ変更手段を備えることを特徴とする。
【手続補正１０】
【補正対象書類名】明細書
【補正対象項目名】００１７
【補正方法】変更
【補正の内容】
【００１７】
請求項１０に記載の発明は更に、前記ガイド画面の表示位置を指示する表示位置指示手段を更に備え、前記表示制御手段は、前記表示位置指示手段による指示に応じて前記ガイド画面の表示位置を変更するガイド画面位置変更手段を備えることを特徴とする。
【手続補正１１】
【補正対象書類名】明細書
【補正対象項目名】００１８
【補正方法】変更
【補正の内容】
【００１８】
請求項１１に記載の発明は更に、前記表示制御手段は、前記ガイド画面を半透明にして前記望遠画像上に重ねて表示する、ことを特徴とする。
【手続補正１２】
【補正対象書類名】明細書
【補正対象項目名】００１９
【補正方法】変更
【補正の内容】
【００１９】
また、上記目的のため、請求項１２に記載の発明は、撮像手段と、前記撮像手段による撮像時のズーム倍率を変化させるズーム手段と、前記撮像手段により撮像される画像をリアルタイムで表示する表示手段とを備える撮影装置の撮像方法であって、前記ズーム倍率が低倍率であるときに前記撮像手段により撮像された画像である広角画像を取得して保持する広角画像取得ステップと、前記ズーム倍率が前記低倍率よりも倍率の高い高倍率であるときに前記撮像手段により撮像された画像である望遠画像を前記表示手段にリアルタイムで表示する際に、前記広角画像取得ステップで保持された広角画像を前記表示手段に表示する表示制御ステップとを含むことを特徴とする撮像方法である。
【手続補正１３】
【補正対象書類名】明細書
【補正対象項目名】００２０
【補正方法】変更
【補正の内容】
【００２０】
また、上記目的のため、請求項１３に記載の発明は、撮像手段と、前記撮像手段による撮像時のズーム倍率を変化させるズーム手段と、前記撮像手段により撮像される画像をリアルタイムで表示する表示手段とを備える撮影装置のコンピュータを、前記ズーム倍率が低倍率であるときに前記撮像手段により撮像された画像である広角画像を取得して保持する広角画像取得手段と、前記ズーム倍率が前記低倍率よりも倍率の高い高倍率であるときに前記撮像手段により撮像された画像である望遠画像を前記表示手段にリアルタイムで表示する際に、前記広角画像取得手段に保持されている広角画像を前記表示手段に表示する表示制御手段と、して機能させることを特徴とするプログラムである。
【手続補正１４】
【補正対象書類名】明細書
【補正対象項目名】００２１
【補正方法】変更
【補正の内容】
【００２１】
この発明によれば、ズーム倍率が低倍率であるときに撮像された広角画像を取得して保持しておき、ズーム倍率が高倍率であるときに撮像された望遠画像を表示手段にリアルタイムで表示する際に、前記保持されている広角画像を前記表示手段表示するようにしたので、撮影先を見失わないようにすることができるという利点が得られる。
【手続補正１５】
【補正対象書類名】特許請求の範囲
【補正対象項目名】全文
【補正方法】変更
【補正の内容】
【特許請求の範囲】
【請求項１】
撮像手段と、
前記撮像手段による撮像時のズーム倍率を変化させるズーム手段と、
前記撮像手段により撮像される画像をリアルタイムで表示する表示手段と、
前記ズーム倍率が低倍率であるときに前記撮像手段により撮像された画像である広角画像を取得して保持する広角画像取得手段と、
前記ズーム倍率が前記低倍率よりも倍率の高い高倍率であるときに前記撮像手段により撮像された画像である望遠画像を前記表示手段にリアルタイムで表示する際に、前記広角画像取得手段に保持されている広角画像を前記表示手段に表示する表示制御手段と
を備えることを特徴とする撮影装置。
【請求項２】
前記広角画像取得手段は、
前記ズーム倍率が低倍率から高倍率への変化を開始したタイミングで、このタイミングの直前または直後に前記撮像手段により撮像された画像を広角画像として取得して保持する、
ことを特徴とする請求項１記載の撮影装置。
【請求項３】
前記表示制御手段は、
前記ズーム倍率が低倍率から所定の倍率まで変化したタイミングで、前記広角画像取得手段に保持されている広角画像を、前記望遠画像とともに前記表示手段に表示する、
ことを特徴とする請求項１記載の撮影装置。
【請求項４】
前記表示制御手段は、
前記広角画像取得手段に保持されている広角画像とともに、該広角画像内に現在の望遠画像に対応する位置を識別表示する、
ことを特徴とする請求項１記載の撮影装置。
【請求項５】
前記ズーム倍率が低倍率であるときに、撮影範囲内の撮影所望位置を指定する撮影所望位置指定手段を更に備え、
前記表示制御手段は、
前記撮影所望位置指定手段による指定に応じて、前記広角画像内に前記撮影希望位置を識別表示する、
ことを特徴とする請求項１乃至４のいずれかに記載の撮影装置。
【請求項６】
前記表示制御手段は、
前記広角画像取得手段に保持されている広角画像を、前記望遠画像とは独立したガイド画面として前記望遠画像とともに前記表示手段に表示する、
ことを特徴とする請求項１乃至４のいずれかに記載の撮影装置。
【請求項７】
前記表示制御手段は、
前記ガイド画面を前記望遠画像上の一部に重ねて表示する、
ことを特徴とする請求項６記載の撮影装置。
【請求項８】
前記表示制御手段は、
前記ガイド画面を前記望遠画像と並べて表示する、
ことを特徴とする請求項６記載の撮影装置。
【請求項９】
前記ガイド画面の大きさを指示するサイズ指示手段を更に備え、
前記表示制御手段は、
前記サイズ指示手段による指示に応じて前記ガイド画面の大きさを変更するガイド画面サイズ変更手段を備えることを特徴とする請求項６記載の撮影装置。
【請求項１０】
前記ガイド画面の表示位置を指示する表示位置指示手段を更に備え、
前記表示制御手段は、
前記表示位置指示手段による指示に応じて前記ガイド画面の表示位置を変更するガイド画面位置変更手段を備えることを特徴とする請求項６記載の撮影装置。
【請求項１１】
前記表示制御手段は、
前記ガイド画面を半透明にして前記望遠画像上に重ねて表示する、
ことを特徴とする請求項６記載の撮影装置。
【請求項１２】
撮像手段と、前記撮像手段による撮像時のズーム倍率を変化させるズーム手段と、前記撮像手段により撮像される画像をリアルタイムで表示する表示手段とを備える撮影装置の撮像方法であって、
前記ズーム倍率が低倍率であるときに前記撮像手段により撮像された画像である広角画像を取得して保持する広角画像取得ステップと、
前記ズーム倍率が前記低倍率よりも倍率の高い高倍率であるときに前記撮像手段により撮像された画像である望遠画像を前記表示手段にリアルタイムで表示する際に、前記広角画像取得ステップで保持された広角画像を前記表示手段に表示する表示制御ステップと
を含むことを特徴とする撮像方法。
【請求項１３】
撮像手段と、前記撮像手段による撮像時のズーム倍率を変化させるズーム手段と、前記撮像手段により撮像される画像をリアルタイムで表示する表示手段とを備える撮影装置のコンピュータを、
前記ズーム倍率が低倍率であるときに前記撮像手段により撮像された画像である広角画像を取得して保持する広角画像取得手段と、
前記ズーム倍率が前記低倍率よりも倍率の高い高倍率であるときに前記撮像手段により撮像された画像である望遠画像を前記表示手段にリアルタイムで表示する際に、前記広角画像取得手段に保持されている広角画像を前記表示手段に表示する表示制御手段と、
して機能させることを特徴とするプログラム。